(57)【要約】【課題】  正梁構造のコンクリート躯体をもつ建築物において、遮音性能を向上させつつ床構造体の上下振動を効果的に抑制、減衰できるようにし、更に床下空間の通気性や配管取り回し自由度を高める。【解決手段】  床構造体Ｆｒの床板７の支持部材である大引ビーム５が、床スラブＳｆとの間に隙間Ｄ１を存して該床スラブに近接配置されると共に、それら大引ビーム５の端部が、鉛直躯体部分との間又は他の大引ビームとの間に隙間Ｄ２を存して配置されていて、その各大引ビーム５が床スラブの正梁対応部分の上面に弾性体を介して支持され、床スラブＳｆと各大引ビーム５の長手方向中間部との間には制振装置Ｔが介装され、更に各大引ビーム５に配管挿通用の貫通孔が形成される。【選択図】      図５
2006183432.tif 000002
【特許請求の範囲】
【請求項１】
居住空間（Ｄｗ）を上下に仕切る床スラブ（Ｓｆ）を各々有する複数の水平躯体部分（Ｆｈ）と、上下の水平躯体部分（Ｆｈ）間を連結する鉛直躯体部分（Ｆｖ）とを備えるコンクリート躯体（Ｆ）を、梁（Ｂａ，Ｂｂ）の上面に床スラブ（Ｓｆ）が接続される正梁構造とした建築物において、
居住空間（Ｄｗ）の床構造体（Ｆｒ）が、一平面上に相互に間隔をあけて配列される複数本の大引ビーム（５）と、そのビーム（５）上に敷設される床板（７）とを備え、
その複数本の大引ビーム（５）が、床スラブ（Ｓｆ）との間に上下方向の隙間（Ｄ１）を存して該床スラブ（Ｓｆ）に近接配置されると共に、それら大引ビーム（５）の端部が、鉛直躯体部分（Ｆｖ）との間又は隣接する他の大引ビーム（５）との間に水平方向の隙間（Ｄ２，Ｄ２′）を存して配置されていて、その各大引ビーム（５）が床スラブ（Ｓｆ）の、前記梁（Ｂａ，Ｂｂ）に対応する部分の上面に弾性体（８）を介して支持され、
床スラブ（Ｓｆ）と各大引ビーム（５）の長手方向中間部との間には、該ビーム（５）が下向きの衝撃荷重を受けたときにその衝撃荷重の床スラブ（Ｓｆ）への伝達を阻止しつつ該ビーム（５）の上下振動を抑制する少なくとも１つの制振装置（Ｔ）が介装され、
更に各大引ビーム（５）には、前記床板（７）の下面と床スラブ（Ｓｆ）の上面との間の床下空間（Ｃ）に取り回される配管（Ｌ）を通すための貫通孔（５ｈ）が形成されることを特徴とする、建築物における床支持構造。
【請求項２】
前記制振装置（Ｔ）は、前記衝撃荷重により各大引ビーム（５）が上下振動しようとするときに、そのビーム（５）中間部の静止位置からの上方変位を抑制し得るように、該ビーム（５）中間部に対し下向きの引張荷重を付与する引張荷重付与機構より構成されることを特徴とする、請求項１に記載の建築物における床支持構造。
【請求項３】
互いに平行な複数の大引ビーム（５）の長手方向中間部には、その相互間に跨がって延び且つその相互間を連結する連結杆（３０）が結合され、この連結杆（３０）を介して前記制振装置（Ｔ）と大引ビーム（５）との間が連結されることを特徴とする、請求項１又は２に記載の建築物における床支持構造。
【請求項４】
大引ビーム（５）の端部と、鉛直躯体部分（Ｆｖ）との間又は隣接する他の大引ビーム（５）との間に形成した水平方向の隙間（Ｄ２，Ｄ２′）の少なくとも一つに、前記床下空間（Ｃ）に取り回される配管（Ｌ）を通したことを特徴とする、請求項１，２又は３に記載の建築物における床支持構造。
【発明の詳細な説明】
【技術分野】
【０００１】
本発明は、建築物における床支持構造、特に梁の上面に床スラブが接続される正梁構造のコンクリート躯体をもつ建築物における床支持構造に関する。
【背景技術】
【０００２】
一般にマンションなどの集合住宅では、床構造体が、コンクリート躯体の床スラブ上に、そこに立設した束（支柱）を介して固定結合されているため、床上などに加わる振動衝撃音が固体伝播音となって床構造体から上下階、左右隣室へと振動騒音となって伝わり、住空間の環境悪化、品質低下などの原因になるという問題がある。
【０００３】
特に最近では、生活様式の変化により、和室が少なくなり、洋室も、緩衝材として機能するカーペット床から、緩衝材とはなりにくいフローリング床へと居住者のニーズに変化が見られ、床構造体から上下階、左右隣室へと伝わる振動騒音が一層大きくなる傾向があり、その遮音対策として、床スラブの厚みを増したり、床構造体自体を遮音構造にしたりするなどの対策がとられているが、かかる遮音対策を講じても床構造体とコンクリート躯体、特にその床スラブとの固定、接触状態を回避することができず、振動騒音の伝播を軽減することができても抜本的な遮音対策とはならないという問題があり、また建築コストの大幅なアップを招くという別の問題もある。
【０００４】
また、上記の如く床スラブ上に束を立てて床構造体を支持するようにすると、それだけ床面が高くなるため、特に前述のように床スラブの厚みを増した場合には、全体としてかなり階高となってしまい、建物の高さが高くなる等の問題もある。
【０００５】
そこで本発明者は、上記問題を解決するために、床構造体を構成する複数本の大引ビームを束を介して支持しないで、その長手方向両端部を、これと鉛直躯体壁との間に隙間を存して配置し、且つ鉛直躯体壁に設けた上向きの支持面に弾性体を介して載置するようにして、該鉛直躯体壁に大引ビームの両端部をフローティング支持することにより、躯体と床構造体とを絶縁して、床構造体の安定支持を図りつつ遮音効果を高めることができるようにした改良技術を既に提案している（下記の特許文献１の図９，図１０を参照）。
【特許文献１】特開２００３−１５５７９８号公報
【発明の開示】
【発明が解決しようとする課題】
【０００６】
しかしながらこの改良技術では、鉛直躯体壁に両端支持される大引ビームのスパンが長い場合に、そのビーム中間部が、これに下向きの衝撃荷重が作用したときに上下に振動変形し易く、特にその衝撃荷重が断続的に繰り返された場合にはビームの上下振動が増幅して床板上の居住者を大きく揺すぶり、船酔いに似た不快感を起こさせる虞れがある。
【０００７】
また、大引ビームが束を介して支持されておらず、大引ビームの下端が床スラブ上面に近接していて該ビームと床スラブ間の間隙が小さいことから、大引ビームで仕切られた床下の個々の空間エリアの通気性が悪く、その上、床下空間の各所に水道管や下水管、電線管等の配管を取り回す際に大引ビームが邪魔になる等の問題もある。
【０００８】
本発明は、上記に鑑み提案されたもので、前記改良技術の利点を生かしながらその問題を一挙に解決できるようにした、新規な建築物における床支持構造を提供することを目的とする。
【課題を解決するための手段】
【０００９】
前記目的を達成するために、請求項１の発明は、居住空間を上下に仕切る床スラブを各々有する複数の水平躯体部分と、上下の水平躯体部分間を連結する鉛直躯体部分とを備えるコンクリート躯体を、梁の上面に床スラブが接続される正梁構造とした建築物において、居住空間の床構造体が、一平面上に相互に間隔をあけて配列される複数本の大引ビームと、そのビーム上に敷設される床板とを備え、その複数本の大引ビームが、床スラブとの間に上下方向の隙間を存して該床スラブに近接配置されると共に、それら大引ビームの端部が、鉛直躯体部分との間又は隣接する他の大引ビームとの間に水平方向の隙間を存して配置されていて、その各大引ビームが床スラブの、前記梁に対応する部分の上面に弾性体を介して支持され、床スラブと各大引ビームの長手方向中間部との間には、該ビームが下向きの衝撃荷重を受けたときにその衝撃荷重の床スラブへの伝達を阻止しつつ該ビームの上下振動を抑制する少なくとも１つの制振装置が介装され、更に各大引ビームには、前記床板の下面と床スラブの上面との間の床下空間に取り回される配管を通すための貫通孔が形成されることを特徴とする。
【００１０】
また請求項２の発明は、請求項１の前記特徴に加えて、前記制振装置が、前記衝撃荷重により各大引ビームが上下振動しようとするときに、そのビーム中間部の静止位置からの上方変位を抑制し得るように、該ビーム中間部に対し下向きの引張荷重を付与する引張荷重付与機構より構成されることを特徴とし、また請求項３の発明は、請求項１又は２の上記特徴に加えて、互いに平行な複数の大引ビームの長手方向中間部には、その相互間に跨がって延び且つその相互間を連結する連結杆が結合され、この連結杆を介して前記制振装置と大引ビームとの間が連結されることを特徴とする。
【００１１】
さらに請求項４の発明は、請求項１，２又は３の上記特徴に加えて、大引ビームの端部と、鉛直躯体部分との間又は隣接する他の大引ビームとの間に形成した水平方向の隙間の少なくとも一つに、前記床下空間に取り回される配管を通したことを特徴とする。
【発明の効果】
【００１２】
以上のように本発明によれば、床構造体とコンクリート躯体とが絶縁（即ちそれらの直接接触が回避）され、床構造体に生じる振動騒音の、上下階、左右隣室への伝播を可及的に低減して遮音効果を向上させることができる。特に、床構造体を構成する複数の大引ビームの両端部を床スラブの正梁対応部分に弾性体を介してフローティング支持することにより、床構造体に加わる振動騒音は、複数の大引ビームを介して水平躯体壁の頑丈な正梁部分に分散伝播されて、遮音効果を高めることができる。さらに床スラブには十分な遮音機能をもたせないで済むことから、この床スラブを極力薄くして、居住空間の有効高さを高くとることができるばかりか、コンクリート躯体の重量を低減してコスト節減を図りつつ耐震性能を向上させることができる。
【００１３】
また、スパンの長い大引ビームがその長手方向中間部に下向きの衝撃荷重を受けた場合に、床スラブとビーム中間部との間に特設した制振装置により、衝撃荷重の床スラブへの伝達を阻止しつつ該ビームの上下振動を抑制し得るので、その衝撃荷重が断続的に繰り返されたような場合でも、該ビームの上下振動が増幅されて床板上の居住者が大きく揺すぶられるような心配はなくなり、居住性が一層向上する。更に各大引ビームに配管挿通用の貫通孔を特別に形成したので、大引ビームを床スラブ上面に近接配置したことに伴い該ビーム下端と床スラブとの間の隙間が小さくなっても、配管挿通のために比較的大きく形成される上記貫通孔により、大引ビームで仕切られた床下の個々の空間エリアの通気性を良好にでき、その上、床下空間の各所に水道管や下水管、電線管等の配管を取り回す際に該配管が上記貫通孔を通ることで、大引ビームが配管取り回しの邪魔になる虞れがなく、その配管の取り回し自由度を高めることができる。
【００１４】
また特に請求項２の発明によれば、前記制振装置としての引張荷重付与機構が、前記衝撃荷重により各大引ビームが上下振動しようとするときにビーム中間部の静止位置からの上方変位を抑制し得るように、ビーム中間部に対し下向きの引張荷重を付与するので、所定の引張荷重をビーム中間部に付与するだけの比較的簡単な構造で、上記衝撃荷重に因るビームの上下振動を効果的に抑制、減衰できて、その振動増幅を未然に効果的に防止することができる。
【００１５】
また特に請求項３の発明によれば、複数の大引ビームの長手方向中間部には、その相互間に跨がって延び且つその相互間を連結する連結杆が結合され、この連結杆を介して制振装置と大引ビームとの間が連結されるので、複数の大引ビームに対し共通の制振装置を使用できて、それだけ構造簡素化が図られ、また大引ビームを床スラブ上面に近接配置したことに伴い該ビーム下端と床スラブとの間に鉛直方向の充分な隙間が確保されなくても、制振装置を大引ビーム直下より外れた位置で無理なく設置可能となる。
【００１６】
また特に請求項４の発明によれば、大引ビームの端部と、鉛直躯体部分との間又は隣接する他の大引ビームとの間に形成した水平方向の隙間の少なくとも一つに、床下空間に取り回される配管を通したので、大引ビームを床スラブ上面に近接配置したことに伴い該ビーム下端と床スラブとの間の隙間が小さくなっても、上記水平方向の比較的大きな隙間により、大引ビームで仕切られた床下の個々の空間エリアの通気性を良好にでき、その上、床下空間の各所に水道管や下水管、電線管等の配管を取り回す際に該配管が上記水平方向の比較的大きな隙間を通ることで、大引ビームが配管取り回しの邪魔になる虞れがなく、その配管の取り回し自由度を一層高めることができる。
【発明を実施するための最良の形態】
【００１７】
本発明の実施の形態を、添付図面に例示した本発明の実施例に基づいて以下に具体的に説明する。
【００１８】
まず、図１〜図８は本発明の第１実施例を示すものであって、図１は、本発明床支持構造を備えた集合住宅の一部の平断面図、図２は、図１の２−２線に沿う、一部を破断した拡大断面図、図３は、図１の３−３線に沿う拡大断面図、図４は、図３の４矢視部の拡大図、図５は、図３の５矢視部を示す、一部を破断した拡大図、図６は、図５の６−５線拡大断面図、図７は、大引ビームに対する支持座の拡大斜視図、図８は、制振装置（引張荷重付与機構）の拡大斜視図である。また図９，１０は、本発明の第２実施例を示すものであって、図９は、図１対応断面図、図１０は、図９の１０−１０線拡大断面図である。
【００１９】
先ず、第１実施例を示す図１〜図４において、集合住宅の骨格を構成する正梁構造のコンクリート躯体Ｆは、水平方向に延びて、建築物を複数の階層に区画する水平躯体部分Ｆｈと、鉛直方向に延びて上下の水平躯体部分Ｆｈを相互に連結する鉛直躯体部分Ｆｖとを備えている。
【００２０】
前記水平躯体部分Ｆｈは、居住空間Ｄｗを上下に仕切る床スラブＳｆを備え、この床スラブＳｆには、１戸分に相当するエリアの外周に対応した平面視矩形状の正大梁Ｂｂと、その正大梁Ｂｂの相対向する一対の長辺部分相互を連結する複数の直線状の正小梁Ｂａとが下向きに一体に突設されて、所謂「正梁構造」に構成されている。床スラブＳｆのベランダ側への延出部分Ｓｆｏはベランダの床部を構成し、また床スラブＳｆの廊下側への延出部分Ｓｆｉは廊下の床部を構成する。尚、図３，図４で、符号Ｗは、ベランダ側の掃き出し窓を開閉するサッシである。
【００２１】
また、前記鉛直躯体部分Ｆｖは、１戸分の居住空間Ｄｗの四隅に立設される躯体柱１と、並列する躯体柱１間を連結する縦横の鉛直躯体壁２，３とを備えている。
【００２２】
各階層の１戸分の居住空間Ｄｗに対応した床スラブＳｆ上には、その居住空間Ｄｗの各部屋に対応して複数の床構造体Ｆｒが各々配設される。前記床構造体Ｆｒは各階層とも基本的に同じ構造を備えている。
【００２３】
次に、図５〜図８を併せて参照して、床構造体Ｆｒの一つについて説明するに、床構造体Ｆｒは、後述するようにコンクリート躯体Ｆとの直接接触を回避されて、コンクリート躯体Ｆの床スラブＳｆ上にフローティング支持される。
【００２４】
即ち、居住空間Ｄｗの床スラブＳｆ上には、その全域にわたり、一平面上で互いに平行に並列し且つ長手方向にも互いに縦列配置された複数本の大引ビーム５…が、各々鉛直方向に隙間Ｄ１を存して設けられる。それら大引ビーム５は、床構造体Ｆｒの主要な強度メンバとなるものであって、鋼板を横断面Σ状に屈曲形成して構成され、十分な剛性を確保しながら軽量に形成されている。また複数の大引ビーム５…上には、パーティクルボード等の床支持板６が敷設され、さらにその床支持板６上に、フローリング材などよりなる床板７が敷設される。
【００２５】
各大引ビーム５は、互いに平行する正大梁Ｂｂと正小梁Ｂａ間の間隔、又は互いに隣接する正小梁Ｂａ，Ｂａ間の間隔と略等しい長さに形成される。そして、その各大引ビーム５の端部は、床スラブＳｆの、正大梁Ｂｂ又は正小梁Ｂａの何れかに対応する部分の上面側に配置され、その上面に弾性体としての防振ゴム８を介してフローティング支持される。即ち、床スラブＳｆの、正大梁Ｂｂ又は正小梁Ｂａに対応する部分の上面に一体的に立設されたレベル調整ボルト９には、上下一対のナット１１を介して受け枠１０が位置調整可能に連結、支持されており、その受け枠１０上に防振ゴム８が固定、支持され、この防振ゴム８上に大引ビーム５の下部枠５ｄが載置支持される。そして、この載置支持状態で各大引ビーム５は、それと床スラブＳｆとの間に鉛直方向の隙間Ｄ１を存して該床スラブＳｆに近接配置されると共に、それら大引ビームＳｆの端部が、該端部と鉛直躯体部分Ｆｖとの対向面間、又は隣接する他の大引ビーム５の隣接端部との対向面間に水平方向の隙間Ｄ２，Ｄ２′を存して配置される。
【００２６】
また各大引ビーム５には、床支持板６の下面と床スラブＳｆの上面との間の床下空間Ｃに取り回される各種の配管Ｌ（例えば水道管、下水管、電線管、電話線、空調用配管等）を通すために比較的大きく形成した複数の貫通孔５ｈが相互に間隔をおいて設けられ、この貫通孔５ｈは通気孔も兼ねる。このような配管挿通用の貫通孔５ｈの特設によれば、前述のように大引ビーム５が床スラブＳｆの上面に近接配置されても、該ビーム５で仕切られた床下空間Ｃの個々の空間エリアの通気性を良好にでき、その上、床下空間Ｃの各所に上記各種の配管Ｌを取り回す際のレイアウトや取り回しの自由度が大きくなり、大引ビーム５が配管取り回しの邪魔になる虞れがなくなる。
【００２７】
さらに床スラブＳｆと各大引ビーム５の長手方向中間部（図示例では中央部）との間には、該ビーム５が床板７を介して下向きの衝撃荷重を受けたときにその衝撃荷重の床スラブＳｆへの伝達を阻止しつつ該ビーム５の上下振動を抑制する制振装置が介装される。
【００２８】
この制振装置として、図示例では、前記衝撃荷重により各大引ビーム５が上下振動しようとするときに、そのビーム５中央部の静止位置からの上方変位を抑制し得るように、該ビーム５中央部に対し下向きの引張荷重を付与する引張荷重付与機構Ｔが用いられ、次のその機構Ｔの構成を主として図５，６，８を参照して具体的に説明する。尚、図６の実線は、大引ビーム５の静止状態を示し、また鎖線は、大引ビーム５の中央部が下向きの衝撃荷重を受けて下方に若干弾性変形した瞬間を示している。
【００２９】
即ち、その引張荷重付与機構Ｔは、床スラブＳｆにアンカ２０とこれに螺合、締結したナット２１とを以て固着される断面コ字状の下部チャンネル部材２２と、この下部チャンネル部材２２の上部枠２２ｕに下部枠２３ｄが防振ゴム２４を介して下側から係合する断面コ字状の上部チャンネル部材２３と、この上部チャンネル部材２３の上部枠２３ｕおよび大引ビーム５の上部壁５ｕ間をその相互の上下方向相対位置を調節可能に連結する連結手段Ｊとより構成され、前記防振ゴム２４は、前記上部枠２２ｕ及び下部枠２３ｄの何れか一方に接着され、その他方とは接離自在に当接される。
【００３０】
前記連結手段Ｊは、平行する複数の大引ビーム５の各中央部に跨がるように延びてその中央部相互をビスを介して連結するＬ字状の連結杆３０と、その連結杆３０で連結された大引ビーム５群のうちの中央側の２本の大引ビーム５，５間において連結杆３０の下部枠３０ｄに上部を螺挿させ且つ上部チャンネル部材２３の上部枠２３ｕに下部を遊挿させる連結ボルト２５と、該ボルト２５の前記連結杆３０との螺合位置を固定するロックナット２６と、前記上部枠２３ｕの該ボルト２５との相対高さ（従って上部チャンネル部材２３のレベル、延いては後述する引張荷重）を調節し得るよう該ボルト２５に螺合されて上部枠２３ｕに下側から係合する調節ナット２７と、該ナット２７の該ボルト２５との螺合位置を固定するロックナット２８とより構成される。尚、前記床支持板６は、連結杆３０との干渉を避けるべく、連結杆３０と対応する領域が不連続部分とされるが、床支持板６が厚い場合や連結杆３０が比較的小型の場合は、連結杆３０を収容するための凹部を床支持板６に設けるようにしてもよい。
【００３１】
而して引張荷重付与機構Ｔの組付けに際しては、例えば、予め下部チャンネル部材２２を床スラブＳｆに固着すると共に、複数の大引ビーム５の中央部相互を連結杆３０を介して連結し且つその連結杆３０の下部枠３０ｄに連結ボルト２５を螺挿させておき、次いで、その連結ボルト２５の下部を上部チャンネル部材２３の上部枠２３ｕに挿通させると共にその下部枠２３ｄを下部チャンネル部材２２の上部枠２２ｕに防振ゴム２４を介して係合させ、その状態で上部チャンネル部材２３の上部枠２３ｕを引き上げるように調節ナット２７を連結ボルト２５に締め込み、更にその締め込み位置をロックナット２８で固定することにより、防振ゴム２４を上，下部チャンネル部材２２，２３間で挟圧して圧縮変形させ、大引ビーム５の長手方向中央部に所定の引張荷重を付与する。
【００３２】
次に前記実施例の作用を説明する。この実施例では、居住空間Ｄｗにおいて、床構造体Ｆｒの主要な強度メンバである複数の大引ビーム５…の両端部が防振ゴム８を介してコンクリート躯体Ｆの床スラブＳｆにそれぞれフローティング支持されており、この状態で、床構造体Ｆｒ、特に複数の大引ビーム５…は、コンクリート躯体Ｆの床スラブＳｆや鉛直躯体壁Ｆｖとの直接接触が回避されるため、上下階、左右隣室への振動騒音の伝播を効果的に低減することができる。
【００３３】
特に、図示例のように、各大引ビーム５の端部が、水平躯体壁Ｆｈの正大梁Ｂｂ又は正小梁Ｂａ対応部分に防振ゴム８を介して支持されると、床構造体Ｆｒに加わる振動騒音は、該ビーム５を介して水平躯体壁Ｆｈの頑丈な正梁部分に分散伝播され、そこから更に鉛直躯体壁２，２の上下および横方向に分散伝播されて、全体として遮音効果を高めることができる。従って、床スラブＳｆは、これをその遮音対策のために特別に厚く形成する必要がないことから、それだけ居住空間Ｄｗの室内高さを高くとることができ、その上、コンクリート躯体Ｆの重量を低減して、耐震性能を向上させることができる。
【００３４】
ところで大引ビーム５を含む床構造体Ｆｒには、その上で子供が暴れる等することで衝撃荷重が少なからず作用することがあり、このとき、スパンの長い大引ビーム５は、その長手方向中間部に下向きの衝撃荷重を受け、その衝撃の強さに応じて上下振動しようとする。特にその衝撃荷重が断続的に繰り返されたような場合には、前記制振装置（引張荷重付与機構Ｔ）の設けられていない床支持構造では、前記衝撃荷重が繰り返される度毎に大引ビーム５の上下振動の振幅が漸次増大して、床板７上の居住者を大きく揺すぶり、船酔いに似た不快感を起こさせる虞れがある。
【００３５】
しかるに本実施例では、床スラブＳｆと大引ビーム５の中央部との間に特設した上記引張荷重付与機構Ｔが、衝撃荷重の床スラブＳｆへの伝達を阻止しつつ該ビーム５の上下振動を抑制可能となっている。即ち、引張荷重付与機構Ｔは、前記衝撃荷重により大引ビーム５が上下振動しようとするときにビーム中央部の静止位置からの上方変位を抑制し得るように、該ビーム中央部に対し下向きの引張荷重を付与するので、比較的簡単な構造で、上記衝撃荷重に因る大引ビーム５の上下振動を効果的に抑制でき、その振幅増加を未然に効果的に防止できる。
【００３６】
この場合、前記衝撃荷重がビーム中央部に作用した瞬間には、そのビーム中央部が下方に若干弾性変形し、これに伴い、上，下部チャンネル部材２２，２３相互間の、防振ゴム２４を介しての係合が一時的に解除（即ち図６の鎖線に示すように該ゴム２４が下部チャンネル部材２２の上部枠２２ｕから一旦離間）して、衝撃荷重の床スラブＳｆ側への伝達が阻止され、次いでその反動でビーム中央部が静止位置よりも更に上方へ勢いよく振動変位しようとするが、その振動変位は、ダンパゴムとして機能する防振ゴム２４が圧縮されることで効果的に抑制、減衰され、これにより、大引ビーム５の上下振動が効果的且つ迅速に収束に向かうようになる。従って、ビーム中央部の撓み変形は、静止位置又はその静止位置から僅かに上方の位置が上限となる程度に抑制される。
【００３７】
かくして、前記衝撃荷重が断続的に繰り返されたような場合でも、大引ビーム５の上下振動が増幅されるのを効果的に防止でき、その振動増幅により床板７上の居住者が大きく揺すぶられるような心配はなくなり、居住性が一層向上する。また制振装置としての引張荷重付与機構Ｔは、上記のようにビーム中央部に所定の引張荷重を付与するだけの比較的簡単な構造で、衝撃荷重に因る大引ビーム５の上下振動を効果的に抑制、減衰でき、その振幅増加が未然に効果的に抑えられる。
【００３８】
また図９，図１０には、本発明の第２実施例が示される。この第２実施例は、大引ビームＳｆの端部が、該端部と鉛直躯体部分Ｆｖとの対向面間、又は隣接する他の大引ビーム５の隣接端部との対向面間に水平方向の比較的大きな（即ち第１実施例よりも大きな）隙間Ｄ２，Ｄ２′を存して配置されており、その少なくとも一部の隙間Ｄ２，Ｄ２′には、床下空間Ｃに取り回される各種の配管Ｌ（例えば水道管、下水管、電線管、電話線、空調用配管等）が通されている。
【００３９】
この第２実施例によれば、大引ビーム５が床スラブＳｆの上面に近接配置されたことに伴い該ビーム５下端と床スラブＳｆとの間の隙間Ｄ１が小さくなっても、上記水平方向の比較的大きな隙間Ｄ２，Ｄ２′により、該ビーム５で仕切られた床下空間Ｃの個々の空間エリアの通気性を一層良好にでき、その上、床下空間Ｃの各所に上記各種の配管Ｌを取り回す際のレイアウトや取り回しの自由度が一層大きくなる。
【００４０】
以上、本発明の実施例について説明したが、本発明はそれらの実施例に限定されることなく、本発明の範囲内で種々の実施例が可能である。
【００４１】
たとえば、前記実施例では、本発明にかかる建築物における床支持構造を、集合住宅に実施した場合を説明したが、これを商業ビルその他のコンクリート建築物にも実施できる。また、床構造体の床板として、フローリング板の外、畳床、その他の公知のものの使用が可能である。また前記実施例では、大引ビーム５とフローリング材等の床板７との間にパーティクルボード等の床支持板６を介装したものを示したが、本発明では、そのような床支持板６に代えて、大引ビーム５上で該ビームを横切るように配列されて相互に平行する複数本の根太を介装するようにしてもよい。
【００４２】
また前記実施例では、複数の大引ビーム５の中央部相互を共通の連結杆３０で連結して、その連結杆３０を介して共通１個の制振装置（引張荷重付与機構Ｔ）で複数の大引ビーム５の制振を行うようにしたものを示したが、本発明では、個々の大引ビーム５毎に制振装置（引張荷重付与機構Ｔ）を設けるようにしてもよい。
【図面の簡単な説明】
【００４３】
【図１】第１実施例に係る床支持構造を備えた集合住宅の一部の平断面図
【図２】図１の２−２線に沿う、一部を破断した拡大断面図
【図３】図１の３−３線に沿う拡大断面図
【図４】図３の４矢視部の拡大図
【図５】図３の５矢視部を示す、一部を破断した拡大図
【図６】図５の６−５線拡大断面図
【図７】大引ビームに対する支持座の拡大斜視図
【図８】制振装置（引張荷重付与機構）の拡大斜視図
【図９】第２実施例を示す図１対応断面図
【図１０】図９の１０−１０線拡大断面図
【符号の説明】
【００４４】
２          鉛直躯体壁
５          大引ビーム
５ｈ        配管挿通用の貫通孔
７          床板
８          防振ゴム（弾性体）
３０        連結杆
Ｂａ        正小梁
Ｂｂ        正大梁
Ｃ          床下空間
Ｄ１        鉛直方向の隙間
Ｄ２，Ｄ２′  水平方向の隙間
Ｄｗ        居住空間
Ｆ          コンクリート躯体
Ｆｈ        水平躯体部分
Ｆｒ        床構造体
Ｆｖ        鉛直躯体部分
Ｌ          配管
Ｓｆ        床スラブ
Ｔ          引張荷重付与機構（制振装置）
【図１】
2006183432.tif 000003
【図２】
2006183432.tif 000004
【図３】
2006183432.tif 000005
【図４】
2006183432.tif 000006
【図５】
2006183432.tif 000007
【図６】
2006183432.tif 000008
【図７】
2006183432.tif 000009
【図８】
2006183432.tif 000010
【図９】
2006183432.tif 000011
【図１０】
2006183432.tif 000012